(57)【要約】  【課題】  刀身の刃紋などを鮮明に撮影できるようにし、かつ連続撮影を容易にした撮影法を提供する。  【解決手段】  刀身１を照らすライト４とカメラ５とを刀身に対し３０〜１２０°の角度を持って配置し、ライトは、３〜１０灯のライト列を刀身の長手方向と直交方向となるように２列並設し、２列のライトは刀身の光源反射部分の間隔が約７〜３０ｃｍの距離を保つように設定し、この２個所の光源反射部分の間の散光部分を主に撮影する。【選択図】      図１
2006227313.tif 000002
【特許請求の範囲】
【請求項１】
刀身を照らすライトと撮影機器とを被写体である刀身に対して角度を持って配置し、ライトは、複数灯のライト列を刀身の長手方向と交差方向となるように２列並設し、２列のライトは刀身を間隔を保って照らすように設定し、この２個所の光源反射部分の間の散光部分を主に撮影するようにしたことを特徴とする刀の撮影方法。
【請求項２】
ライトを１列について３〜１０灯点灯し、刀身に写るライト２列の光源反射部分の間隔が約７〜３０ｃｍの距離を保つように設定し、刀身面に対するライトの照射方向と撮影機器の焦点方向の角度を３０〜１２０°の範囲で調整して撮影するようにしてなる請求項１に記載の刀の撮影方法。
【発明の詳細な説明】
【技術分野】
【０００１】
本発明は、刀の撮影法であって、ビデオカメラなどの撮影機器で刃紋など刀身を明確に撮影することを可能にした撮影方法に関する。
【背景技術】
【０００２】
刀は、造りの種類によって刃から地、棟（峰）に至る面形態、或いは傾斜や湾曲状態などが異なり、また、同じ造りであっても造られた刀ごとにこれら面状態は変化している。しかも刀身は切先ほど細く全体に反っているのが普通である。そのため、刃紋など刀身の状態を観察する場合は、手に持った刀身に前方からライト一灯を当て、眩しさを和らげつつ全体の流れをみるには、ライトの反射部よりも切先側或いは元側を見ていくのがよく、刃を見るときはライトを刃の方に当て、地のときは地の方に当たるように、手で刀身を少しずつ回しずらせながら見ていくことになるものである。
【発明の開示】
【発明が解決しようとする課題】
【０００３】
上記のように、刀を手に持って観察する場合は、手を動かし目の位置を動かしつつ、人の視覚感覚で、刀身の微妙な陰影状態を探りつつ見ることができるが、ビデオカメラなどの機器で撮影しようとすると、ライトが一灯の場合は、光の反射を避けつつカメラを絶えず動かして見える位置を模索しなければならず、露光調整なども同時に行わなければならず、しかも反射部位では光により陰影が飛んでしまい、離れると暗くなって陰影が付かないため、刃紋などを一定の広がりをもって明確に捉え難く、刀身の好ましい鑑賞状態を表わすのが難しく、しかも移動しつつ連続撮影するようなことはかなり難しい作業であり、また、多灯或いは間接光では、刃紋を表わすことはできるものの、陰影が明確には付き難いので、鮮明さに欠けてしまうきらいがあった。
【０００４】
本発明者は、ビデオカメラなどの機器での刀身の撮影には上記のような問題があることに着眼し、このような問題を解決して鮮明な画像を容易に得ることができるようにし、特に比較的広い面範囲での鮮明な撮影、連続撮影を容易に可能にした撮影方法を提供するものである。
【課題を解決するための手段】
【０００５】
上記課題を解決するために、本発明は、刀身を照らすライトと撮影機器とを被写体である刀身に対して角度を持って配置し、ライトは、複数灯のライト列を刀身の長手方向と交差方向となるように２列並設し、２列のライトは刀身を間隔を保って照らすように設定し、刀身の２個所の光源反射部分の間の散光部分を主に撮影するようにした刀の撮影方法を特徴とするものである。
この方法は、ライトを１列について３〜１０灯点灯し、刀身に写るライト２列の光源反射部分の間隔が約７〜３０ｃｍの距離を保つように設定し、刀身面に対するライトの照射方向と撮影機器の焦点方向の角度を３０〜１２０°の範囲で調整して撮影するようにするのが最も好ましい。
また、上記において、刀身面に対して撮影機器の焦点方向のなす角度は３０〜９０°の範囲とするのが好ましく、かつ、刀身面に対するライトの照射角度は３０°以上を保つようにするのが好ましい。
【発明の効果】
【０００６】
刀身を所定間隔好ましくは約７〜３０ｃｍの間隔を保った状態で角度をもって照らすことにより、刀身の２個所の光源反射部分間に、眩しさのない適度な明るさとなった散光状態部分が適度な範囲を保って得られる。この散光状態部分では刃紋や地に表れる木目状の地肌などが明確に表れ、明確に写し取ることが可能となる。ライト列は、刀身に交差方向に配置してあり、造りなど刀身面状態に応じて点灯することにより、刃先から地及び棟に至る刀身面全体をむら無く照らすことができ、かつ散光部分の明るさを均一的に作ることができ、その間の刀身部分を明確に撮影できるようになる。このような撮影方法によれば、刀を移動させつつ連続撮影しても明確な画像が維持されることになる。
【発明を実施するための最良の形態】
【０００７】
以下、本発明の好ましい実施形態を図面によって説明する。
図１の如く、刀１は、刀身の側面（地の面）が上面となるようにして台２上に受け具３を介して載置し、切先方向上方にライト４を設置し、茎尻方向（柄の小尻方向に相当）の上方にカメラ（例えばビデオカメラ）５を配置する。
【０００８】
ライト４は適当な支柱４ａで上方に支持させるが、１灯４０〜１００Ｗの明るさの単位ライト少なくとも３灯、好ましくは５〜１０灯を、刀身の長手方向と直交して水平状一列に配置し、好ましくは一列中の各ライトと刀身との距離が近似するように刀身に対して若干の凹湾曲列とし、或いは、中間の単位ライトよりも両側の単位ライトを刀身寄りに若干突出させ、或いはまた、直線的配列とした場合は両側の単位ライトを若干明るめのものとするなどして配置したライト列として形成し、このライト列を２列配設する。
【０００９】
上記１列の少なくとも３灯、好ましくは５〜１０灯の単位ライトは、刃先から棟に至る刀身の幅の違い、造りによる形、面の傾斜や曲面状態の違いなど、多様な刀のどの刀を撮影する場合にも対応できて、刃先から棟まで均一的な明るさで照明できるようにしたものであり、刀の態様に応じて、列方向に均等的明るさとなるように３灯以上を選択的に点灯して使用するのが好ましい。
例えば、平造りの短刀は３〜５灯と少ない点灯でよく、鎬造りや切刃造りは５〜７灯点灯し、鎬造りで鎬地も充分に撮影するような場合は５〜１０灯を点灯する如くして使い分けることができる。ライトの明るさはカメラの露光状態などを勘案して適宜な明るさで利用すればよい
【００１０】
ライト４とカメラ５の位置関係は、刀身面に対するライトの照射方向とカメラの焦点方向のなす角度Aが約３０〜１２０°の範囲となるように設定する。この際、カメラの位置は刀身面に対して約３０〜９０°の範囲の納まるのが好ましい。刀身面に対するライトの照射角、及びライトの照射角はいずれも約３０°より広く取るように設定するのがよい。
而して、上記ライト２列は、各照射方向を、図２の如く刀身の２個所の光源反射部分６ａ、６ｂ（光源反射部分とは光源が直接的に反射する状態の刀身面部分をいう）の中心間の間隔Bが約７〜３０ｃｍとなるように設定し、かつ、両光源反射部分が同程度の明るさとなるように、各ライト列と刀身との距離、各列のライトの明るさを調整するのが好ましい。２列のライト列間の間隔は問わないが、３０〜７０ｃｍ程度とするのが散光状態が得やすくなって好ましい。
【００１１】
上記角度Aが３０°よりも明らかに小さいと、光源反射部分６ａ、６ｂが眩しく反射するのみで、両部分の間に眩しさのない散光部分が十分な広がりをもって得られなくなり、また、１２０°よりも明らかに大きいと、刀身全面が眩しく反射するような状態となり、いずれも刃紋などが識別し難くなってしまう。刀身面に対するカメラの位置、ライトの位置が、いずれも３０°よりも明らかに低くなると、やはり刀身面が全面的に反射して撮影ができ難くなる。
【００１２】
刃紋などを観察するには、刀身部分を適度な長さに亘って明確に表わすことが必要であり、そのためには刀の種類に対応しつつ、光源反射部分６ａ、６ｂの間が７〜３０ｃｍ程度あることが望まれる。
ズームアップして刃紋などを大写しする場合は上記間隔が比較的狭い間隔となるように設定するのが好ましく、より広く写す場合は広い間隔を設けるようにするのがよい。間隔が狭すぎると刃紋などを観察するのに十分な散光状態部分が得られ難くなり、広すぎると中間部が暗くなって逆に刃紋などが明確に表れ難い状態となってしまう。
なお、上記の単位ライトは任意のものを使用することができるが、ライト前面を透光面としソケット側後面を反射面とした撮影用ライトでよい。
【００１３】
上記のようにして刃紋を美しく鮮明に撮影することが可能となる。刃紋のみならず地肌なども明確に写すことができる。移動しつつ連続撮影する場合も刀身を静かに移動するだけでよい。
図３は、上記方法で撮影した刀身部分を示す一例写真（白黒）、図４は、別の一例写真である。これらのカラー写真を参考資料として示した。刀身面の下側沿い（下端が刃先）に波打ち状に表れているのが刃紋であり、図４及びその参考写真で明らかなように、刃先側にやや黒く濃い状態で波状に表れているのが刃紋（焼き刃）である。刃紋の内側に連続状態で白っぽく薄い状態でゆるやかな波状に表れているのは、刃紋とは異なる研ぎ部分である。本発明による撮影ではこれらの状態が明確に表れる。図５は、従来のライティングにより精度よく撮影したものであるが、研ぎ部分が刃紋と区別付かず一体的にぼやけて写るのみである。また、図４及びその参考写真で明らかなように、地の面状態も明確に表れる。
【図面の簡単な説明】
【００１４】
【図１】本発明に係る撮影方法の装置を配置図として示した正面略図である。
【図２】２列ライトを照らした刀身部分を模式図的に示した上面略図である。
【図３】図２の刀身部分の撮影状態を写真で示し上面図である。
【図４】本発明で撮影した別の刀身部分を写真で示す上面図である。
【図５】従来の撮影法で刀身部分を撮影した写真であり、図４との対比上面図である。
【符号の説明】
【００１５】
１  刀、      ２  台、      ３  受け具、      ４  ライト、      ４ａ  支柱、    ５  カメラ、  ６ａ，６ｂ  光源反射部分、      Ａ  角度、    B  間隔。
【図１】
2006227313.tif 000003
【図２】
2006227313.tif 000004
【図３】
2006227313.tif 000005
【図４】
2006227313.tif 000006
【図５】
2006227313.tif 000007